(57)【特許請求の範囲】
【請求項１】
少なくとも一方側に開口する凹部が形成されたケースと、
前記ケースに凹部の開口側と奥側との間で進退可能に支持されるカード保持体と、
前記カード保持体を開口側に向けて付勢する付勢機構と、
前記ケースおよびカード保持体のうちいずれか一方側に移動可能に支持されるガイド部材と、
その他方側に設けられ、前記ガイド部材を案内する案内経路として、カード保持体が開口側から奥側に移動するのに対応してガイド部材を案内する進入経路と、カード保持体が奥側から開口側に移動するのに対応してガイド部材を案内する退出経路と、進入経路の進行方向先方側の領域と退出経路の進行方向手前側の領域との間でガイド部材を係止するガイド部材係止部と、が形成された案内経路形成部と、
前記ガイド部材と連動して、メモリカードを係止する係止位置とメモリカードから離間した離間位置との間で移動可能となる状態で前記カード保持体に支持されるロック部材と、
を備え、
前記ガイド部材係止部による前記ガイド部材の係止によって前記カード保持体を前記凹部の奥側位置に留めるとともに、当該ガイド部材と連動する前記ロック部材によって係止することで当該カード保持体にメモリカードを保持させるようにしたメモリカード保持構造において、
前記ガイド部材と前記ロック部材とで細長いピンを形成するとともに、当該ピンの前記ガイド部材と前記ロック部材との間に支点を設定し、
前記ケースおよびカード保持体のうちいずれか一方側に、前記ピンを前記支点を中心として回動可能に設け、
前記退出経路を、前記カード保持体の移動方向とほぼ同じ方向に延伸させ、
前記ガイド部材が前記奥側位置から開口側のメモリカード取出位置に移動するまでの間、当該ガイド部材と連動する前記ロック部材によってメモリカードを係止することで当該カード保持体にメモリカードを保持させた状態を維持するようにしたことを特徴とするメモリカード保持構造。
【請求項２】
前記案内経路形成部に、ガイド部材を退出経路の進行方向先方側の領域から前記進入経路の進行方向手前側の領域に向けて案内する復帰経路を形成し、
前記カード保持体が前記メモリカード取出位置にある状態でのメモリカードに対する引抜操作によって前記ロック部材によるメモリカードの係止を解除させるとともに、当該係止解除によってメモリカードから離間するロック部材に連動する前記ガイド部材が、前記復帰経路を経由して前記進入経路の進行方向手前側の領域に移動するように構成したことを特徴とする請求項１に記載のメモリカード保持構造。
【請求項３】
前記案内経路形成部に、ガイド部材を退出経路の進行方向先方側の領域から前記進入経路の進行方向先方側の領域に向けて案内する再挿入経路を形成し、
前記カード保持体が前記メモリカード取出位置にある状態でのメモリカードに対する押込操作によって、前記ガイド部材が退出経路を逆行することなく前記再挿入経路を経由して前記進入経路の進行方向先方側の領域に向けて移動するように構成したことを特徴とする請求項１または２に記載のメモリカード保持構造。
【発明の詳細な説明】
【技術分野】
【０００１】
本発明は、カード状の小型記憶媒体としてのメモリカードを保持するメモリカード保持構造に関する。
【背景技術】
【０００２】
近年では、ディジタルカメラや携帯電話等の種々の電子機器において、ミニＳＤメモリカード（登録商標）等の小型記憶媒体（以下、メモリカードと称する）を挿抜可能に装着するためのメモリカード保持構造を装備したものが増加しつつある。
【０００３】
従来のこの種のメモリカード保持構造として、挿入口から凹部内にメモリカードを挿入して押し込むとメモリカードが所定の装着状態でロックされ、その装着状態でメモリカードを再度押し込むとロックが解除されて、バネ等で付勢されたメモリカードが飛び出すように構成されたものが知られている（例えば特許文献１）。
【０００４】
この特許文献１に開示される構造では、上記押込操作によるメモリカードの挿抜を実現するためのハートカム機構とメモリカードの脱落を防止するロック機構とを統合して、装置構成の小型化を図っている。
【特許文献１】特開２００４−２０７１６号公報
【発明の開示】
【発明が解決しようとする課題】
【０００５】
しかしながら、上記特許文献１に開示される構造では、メモリカードを取り出す際に、付勢されたメモリカードが勢いよく飛び出す場合があり、メモリカードを再度押し込んでロック解除した後も当該メモリカードを手指で押さえたままにしておく等の注意を要していた。
【０００６】
そこで、本発明は、付勢されたメモリカードが勢いよく飛び出すのを抑制することができるメモリカード保持構造を得ることを目的とする。
【課題を解決するための手段】
【０００７】
請求項１の発明にあっては、少なくとも一方側に開口する凹部が形成されたケースと、上記ケースに凹部の開口側と奥側との間で進退可能に支持されるカード保持体と、上記カード保持体を開口側に向けて付勢する付勢機構と、上記ケースおよびカード保持体のうちいずれか一方側に移動可能に支持されるガイド部材と、その他方側に設けられ、上記ガイド部材を案内する案内経路として、カード保持体が開口側から奥側に移動するのに対応してガイド部材を案内する進入経路と、カード保持体が奥側から開口側に移動するのに対応してガイド部材を案内する退出経路と、進入経路の進行方向先方側の領域と退出経路の進行方向手前側の領域との間でガイド部材を係止するガイド部材係止部と、が形成された案内経路形成部と、上記ガイド部材と連動して、メモリカードを係止する係止位置とメモリカードから離間した離間位置との間で移動可能となる状態で上記カード保持体に支持されるロック部材と、を備え、上記ガイド部材係止部による上記ガイド部材の係止によって上記カード保持体を上記凹部の奥側位置に留めるとともに、当該ガイド部材と連動する上記ロック部材によって係止することで当該カード保持体にメモリカードを保持させるようにしたメモリカード保持構造において、上記ガイド部材と上記ロック部材とで細長いピンを形成するとともに、当該ピンの上記ガイド部材と上記ロック部材との間に支点を設定し、上記ケースおよびカード保持体のうちいずれか一方側に、上記ピンを上記支点を中心として回動可能に設け、上記退出経路を、上記カード保持体の移動方向とほぼ同じ方向に延伸させ、上記ガイド部材が上記奥側位置から開口側のメモリカード取出位置に移動するまでの間、当該ガイド部材と連動する上記ロック部材によってメモリカードを係止することで当該カード保持体にメモリカードを保持させた状態を維持するようにしたことを特徴とする。
【０００８】
請求項２の発明にあっては、上記案内経路形成部に、ガイド部材を退出経路の進行方向先方側の領域から上記進入経路の進行方向手前側の領域に向けて案内する復帰経路を形成し、上記カード保持体が上記メモリカード取出位置にある状態でのメモリカードに対する引抜操作によって上記ロック部材によるメモリカードの係止を解除させるとともに、当該係止解除によってメモリカードから離間するロック部材に連動する上記ガイド部材が、上記復帰経路を経由して上記進入経路の進行方向手前側の領域に移動するように構成したことを特徴とする。
【０００９】
請求項３の発明にあっては、上記案内経路形成部に、ガイド部材を退出経路の進行方向先方側の領域から上記進入経路の進行方向先方側の領域に向けて案内する再挿入経路を形成し、上記カード保持体が上記メモリカード取出位置にある状態でのメモリカードに対する押込操作によって、上記ガイド部材が退出経路を逆行することなく上記再挿入経路を経由して上記進入経路の進行方向先方側の領域に向けて移動するように構成したことを特徴とする。
【発明の効果】
【００１０】
請求項１の発明によれば、メモリカードの取り出し時に、カード保持体が奥側から開口側のメモリカード取出位置まで移動する間、メモリカードがカード保持体に係止された状態が維持されるため、メモリカードが勢いよく飛び出すのを抑制することができる。
【００１１】
請求項２の発明によれば、メモリカード取出位置でのメモリカードの引抜操作によって、上記ガイド部材をメモリカード挿入前の所定位置（初期位置）に戻すことができる。
【００１２】
請求項３の発明によれば、メモリカードを取り出そうとして再び戻す場合にも、所定の経路に沿って上記ガイド部材を移動させ、所定の装着状態を得ることができる。
【発明を実施するための最良の形態】
【００１３】
以下、本発明の実施形態について図面を参照しながら詳細に説明する。図１は、本実施形態にかかるメモリカード保持構造の斜視図、図２は、メモリカード保持構造の内部構成を示す斜視図であってカード保持体が開口側に位置する状態を示す図、図３は、メモリカード保持構造の内部構成を示す斜視図であってカード保持体が奥側に位置する状態を示す図、図４は、メモリカード保持構造に含まれる案内経路形成部の斜視図、図５は、案内経路形成部の各部の断面図であって、（ａ）は図４のＡ−Ａ断面図、（ｂ）は図４のＢ−Ｂ断面図、（ｃ）は図４のＣ−Ｃ断面図、（ｄ）は図４のＤ−Ｄ断面図、（ｅ）は図４のＥ−Ｅ断面図、図６および図７は、メモリカードの各位置に応じたメモリカード保持構造の内部部品の位置関係を示す平面図、図８〜図１０は、メモリカードの各位置に応じたメモリカード保持構造の内部部品の位置関係を示す斜視図である。
【００１４】
本実施形態にかかるメモリカード保持構造１は、電子機器等（図示せず）に装備され、メモリカード２０を挿抜可能に装着するためのソケットとして機能するものである。装着状態では、メモリカード２０の表面の電極（図示せず）と、メモリカード保持構造１に設けられた端子６ｂとが接触して導通し、電子機器等とメモリカード２０との間でデータの授受が可能となる。
【００１５】
また、このメモリカード保持構造１は、メモリカード２０を開口（挿入口）１ｂから凹部１ａ内に挿入して押し込むことで当該メモリカード２０が所定の装着状態でロックされ、再度押し込むことでロックが解除されてメモリカード２０が凹部１ａの開口１ｂから飛び出す、いわゆるプッシュオン・プッシュオフ機能を備えたものとして構成されている。かかるプッシュオン・プッシュオフ機能を実現するため、メモリカード保持構造１の内部には、所謂ハートカム機構が設けられている。ハートカム機構の詳細については、後に詳しく述べる。
【００１６】
このメモリカード保持構造１は、基本的には、一側面に細長い帯状の開口１ｂが形成された扁平な箱状に構成されたケース２と、ケース２の凹部１ａ内で開口１ｂ側と奥側との間で進退可能に支持されるカード保持体５と、カード保持体５を凹部１ａ内で開口１ｂ側に付勢する付勢機構としてのコイルスプリング８Ｌ，８Ｒと、ケース２の凹部１ａの奥側（底部側）に設けられたコンタクトブロック６と、を備えて構成されている。
【００１７】
ケース２は、ステンレススチール等の導電性の金属薄板を成形した扁平なベースシェル３およびカバーシェル４を組み合わせて構成されている。
【００１８】
ベースシェル３は、略正方形状の底壁部３ａの相互に対向する一対の端辺を略直角に折り曲げて、略一定高さの帯状の側壁部３ｂ，３ｂを立設したものである。側壁部３ｂ，３ｂの開口１ｂ側の一対の角部には、相互に近接する方向に張り出すストッパ３ｃ，３ｃが形成されており、これにより、カード保持体５が開口１ｂから脱落するのが抑制される。なお、底壁部３ａには、コンタクトブロック６を係着するための爪（図示せず）が立設されている。
【００１９】
一方、カバーシェル４は、略正方形状の底壁部４ａの相互に対向する一対の端辺を略直角に折り曲げて、略一定高さの帯状の側壁部４ｂ，４ｂを立設したものである。なお、底壁部４ａの複数箇所が適宜な形状に打ち抜かれ、メモリカード２０を比較的軽い力で押さえるためのバネ構造体４ｃ，４ｃや、後述するピン９（ガイド部材１０）を比較的軽い力で押さえるためのバネ構造体４ｄが成形されている。
【００２０】
そして、これらベースシェル３とカバーシェル４とを、側壁部３ｂ，４ｂ同士を重ね合わせるようにして略角筒形状に結合し、当該角筒形状の一方の開口をコンタクトブロック６で塞ぐようにして、ケース２内に、有底角筒状の凹部１ａが形成される。
【００２１】
カード保持体５は、凹部１ａの壁面と僅かな隙間を持って内接する厚みおよび幅を有して、当該凹部１ａ内に緩挿されており、図２および図３に示すように、開口１ｂ側の位置と奥側の位置との間を往復動する。具体的には、矩形板状の底壁部５ａと、底壁部５ａの開口１ｂ側を除く三方の周縁を取り囲むように当該底壁部５ａ上に立設される側壁部５ｂと、を備える。底壁部５ａの奥側には、当該底壁部５ａと側壁部５ｂとによって囲まれた開口５ｃが形成されており、カード保持体５に保持されたメモリカード２０の電極が当該開口５ｃから露出し、装着状態では、この開口５ｃを通じて端子６ｂと接触できるようになっている。
【００２２】
そして、このカード保持体５には、底壁部５ａ上の、凹部１ａの一対の側壁のうち一方（側壁部３ｂ）の近傍で側壁部５ｂの外側となる位置に設定された支点９ｂを中心として、メモリカード２０の表面に沿って回動可能な細長いピン９が設けられている。このピン９は、カード保持体５の移動方向にほぼ沿った姿勢で設けられており、アーム９ａの開口１ｂ側の端部には、メモリカード２０の切欠部２０ａ内に挿入されて当該メモリカード２０を係止すべく鉤状のロック部材１１が設けられる一方、アーム９ａの奥側の端部には、ベースシェル３の底壁部３ａ側に突出して後述する案内経路７０に沿って所定の経路で案内される突起状のガイド部材１０が設けられている。支点９ｂは、ガイド部材１０とロック部材１１との中間位置に設定されている。
【００２３】
かかる構成では、ピン９の回動姿勢はガイド部材１０の位置に応じて変化し、ロック部材１１は、ガイド部材１０の位置に応じて、切欠部２０ａ内に挿入されてメモリカード２０を係止する係止位置と、メモリカード２０から離れた離間位置との間で移動する。本実施形態では、ガイド部材１０が凹部１ａの内側にあるほど（ピン９が設けられる側の側壁部３ｂから離れるほど）ロック部材１１が離間位置に近付く一方、ガイド部材１０が凹部１ａの外側にあるほど（同側壁部３ｂに近付くほど）、ロック部材１１が係止位置に近付くことになる。
【００２４】
コンタクトブロック６は、凹部１ａの底壁をなす絶縁性樹脂等からなる基体部６ａと、基体部６ａを貫通する導電性金属からなる複数の端子６ｂとを備えている。端子６ｂは、インサート成形によって基体部６ａに固定してもよいし、基体部６ａに設けた小孔に嵌挿してもよい。
【００２５】
コンタクトブロック６とカード保持体５との間には、カード保持体５の移動方向に伸びるコイルスプリング８Ｌ，８Ｒが介装されている。これらコイルスプリング８Ｌ，８Ｒは、いずれも圧縮バネとして用いられており、カード保持体５を開口１ｂ側に付勢する。
【００２６】
また、このコンタクトブロック６は、凹部１ａの一対の側壁のうちピン９が配置される側の側壁（側壁部３ｂ）と底壁部３ａとの隅部に沿って奥側から開口１ｂ側に細長く伸びる略直方体状の部分７を備えている。この部分のカバーシェル４側の面には、ガイド部材１０を所定の経路で案内する案内経路７０としての凹部（溝）が形成されている。すなわち本実施形態では、この部分７が、案内経路形成部に相当する。
【００２７】
この案内経路形成部７には、案内経路７０として、図４に示すように、カード保持体５が開口１ｂ側から奥側に移動するのに対応してガイド部材１０を案内する進入経路Ｒｉと、カード保持体５が奥側から開口１ｂ側に移動するのに対応してガイド部材１０を案内する退出経路Ｒｏと、ガイド部材１０を退出経路Ｒｏの進行方向の先方側（本実施形態では開口１ｂ側）の領域から進入経路Ｒｉの進行方向手前側（本実施形態では開口１ｂ側）の領域に向けて案内する復帰経路Ｒｔ１と、ガイド部材１０を退出経路Ｒｏの進行方向先方側（本実施形態では開口１ｂ側）の領域から進入経路Ｒｉの進行方向先方側（本実施形態では奥側）の領域に向けて案内する再挿入経路Ｒｔ２と、が形成され、さらに、進入経路Ｒｉの進行方向先方側（本実施形態では奥側）の領域と退出経路Ｒｏの進行方向手前側（本実施形態では奥側）の領域との間でガイド部材１０を係止するガイド部材係止部７ｊと、退出経路Ｒｏの進行方向先方側（本実施形態では開口１ｂ側）の領域でガイド部材１０を係止する第二のガイド部材係止部７ｋと、が形成されている。なお、進入経路Ｒｉにおける進行方向とは、カード保持体５が凹部１ａの奥側に移動する際にガイド部材１０が進行する方向であり、退出経路Ｒｏにおける進行方向とは、カード保持体５が凹部１ａの開口１ｂ側に移動する際にガイド部材１０が進行する方向である。
【００２８】
本実施形態では、ガイド部材１０が、案内経路７０の溝の側壁によって、カード保持体５の移動方向に係止されると、このガイド部材１０が取り付けられるカード保持体５が、凹部１ａ内で、その移動方向、すなわち進退方向に規制される。
【００２９】
また、本実施形態では、支点９ｂ、ガイド部材１０、およびロック部材１１の位置関係から、案内経路７０におけるロック部材１１の切欠部２０ａに対する挿抜方向でのガイド部材１０の位置によって、切欠部２０ａに対するロック部材１１の相対位置が定まり、以て、ロック部材１１によるメモリカード２０の係止状態が定まることになる。
【００３０】
さらに、本実施形態では、案内経路７０の溝の底面に適宜段差を設けるとともに、カバーシェル４に設けたバネ構造体４ｃによってガイド部材１０を底面側に押し付けることで、ガイド部材１０が当該段差を乗り越えて逆方向には移動できないようにし、以て、ガイド部材１０が所期の方向に移動するようにしてある。
【００３１】
ここで、図４および図５を参照して、案内経路７０の各部について詳細に説明する。
【００３２】
まず、進入経路Ｒｉでは、図５の（ａ）に示すように、開口１ｂ側の平坦部７ａが最も低く、この平坦部７ａから奥側に向けて、上り斜面となる傾斜部７ｂ、最も高い位置となる頂上部７ｃ、頂上部７ｃに対してステップ状に低くなる平坦部７ｄが形成されている。この進入経路Ｒｉでは、カード保持体５の移動方向の奥側が、ガイド部材１０の進行方向先方側となる。頂上部７ｃと最も奥側の平坦部７ｄとの間には段差が形成されているため、ガイド部材１０は、平坦部７ｄから頂上部７ｃに戻ること、すなわち、進行方向先方側から手前側に逆行することがことができない。ただし、ガイド部材１０が平坦部７ａから頂上部７ｃまでの間に位置しているときには、逆行することが可能である。
【００３３】
また、進入経路Ｒｉは、カード保持体５の移動方向とほぼ同じ方向に延伸しているため、ガイド部材１０が進入経路Ｒｉ内を移動する途中で、ロック部材１１によるメモリカード２０の係止状態が変化することはない。
【００３４】
次に、図５の（ｂ）に示すように、進入経路Ｒｉの進行方向先方側（奥側）と退出経路Ｒｏの進行方向手前側（奥側）との間の区間では、平坦部７ｄが最も高く、この平坦部７ｄから退出経路Ｒｏ側に向かうにつれて、平坦部７ｅ、平坦部７ｆと、ステップ状に低くなっている。また、上述したように、ガイド部材１０は、平坦部７ｄから頂上部７ｃに戻ることはできない。したがって、この区間において、ガイド部材１０は、進入経路Ｒｉ側から退出経路Ｒｏ側に向かう方向にしか移動することができない。
【００３５】
また、平坦部７ｅは、図４に示すように、平坦部７ｄおよび平坦部７ｆの双方に対して開口１ｂ側に配置されており、この区間は、開口１ｂ側に向けて突出するように屈曲した略Ｖ字状に形成されている。したがって、平坦部７ｄにあるとき、ガイド部材１０は、コイルスプリング８Ｌ，８Ｒによるカード保持体５に対する開口１ｂ側への付勢力によって平坦部７ｄに移動し、当該平坦部７ｄの側壁としてのガイド部材係止部７ｊ、すなわちＶ字の底部（尖端部）に相当するガイド部材係止部７ｊに押し付けられて、係止される。
【００３６】
さらに、この区間では、ガイド部材１０がロック部材１１の切欠部２０ａに対する挿抜方向に移動するため、ロック部材１１によるメモリカード２０の係止状態が変化する。
【００３７】
次に、退出経路Ｒｏでは、図５の（ｃ）に示すように、開口１ｂ側の平坦部７ｆと奥側の平坦部７ｈとの間に、平坦部７ｆから開口１ｂ側（すなわち平坦部７ｈ側）に向けて上り斜面となる傾斜部７ｇが形成されている。この退出経路Ｒｏでは、カード保持体５の移動方向の開口１ｂ側が、ガイド部材１０の進行方向先方側となる。平坦部７ｈと傾斜部７ｇとの間には段差が形成されているため、ガイド部材１０は、平坦部７ｈから傾斜部７ｇに戻ること、すなわち、進行方向先方側から手前側に逆行することがことができない。
【００３８】
また、退出経路Ｒｏは、カード保持体５の移動方向とほぼ同じ方向に延伸しているため、ガイド部材１０が退出経路Ｒｏ内を移動する途中で、ロック部材１１によるメモリカード２０の係止状態が変化することはない。
【００３９】
次に、復帰経路Ｒｔ１では、図５の（ｄ）に示すように、進入経路Ｒｉ側の平坦部７ａと退出経路Ｒｏ側の平坦部７ｈとの間に、平坦部７ｈから進入経路Ｒｉ側（すなわち平坦部７ａ側）に向けて上り斜面となる傾斜部７ｉが形成されている。この復帰経路Ｒｔ１では、進入経路Ｒｉ側が進行方向先方側となる。傾斜部７ｉと平坦部７ａとの間には段差が形成されており、ガイド部材１０が、平坦部７ａから傾斜部７ｉに移動することができないようにしてある。
【００４０】
また、この復帰経路Ｒｔ１では、ガイド部材１０がロック部材１１の切欠部２０ａに対する挿抜方向に移動するため、ロック部材１１によるメモリカード２０の係止状態が変化することになる。
【００４１】
次に、再挿入経路Ｒｔ２では、図５の（ｅ）に示すように、進入経路Ｒｉ側の傾斜部７ｂと退出経路Ｒｏ側の平坦部７ｈとの間に、平坦部７ｈから進入経路Ｒｉ側（すなわち傾斜部７ｂ側）に向けて上り斜面となる傾斜部７ｉが形成されている。この再挿入経路Ｒｔ２では、進入経路Ｒｉ側が進行方向先方側となる。傾斜部７ｉと傾斜部７ｂとの間には段差が形成されており、ガイド部材１０が、傾斜部７ｂから傾斜部７ｉに移動することができないようにしてある。
【００４２】
この再挿入経路Ｒｔ２でも、ガイド部材１０がロック部材１１の切欠部２０ａに対する挿抜方向に移動するため、ロック部材１１によるメモリカード２０の係止状態が変化することになる。
【００４３】
本実施形態では、ガイド部材１０が進入経路Ｒｉ内にあるときには、ロック部材１１がメモリカード２０の切欠部２０ａから退出して、メモリカード２０がロック部材１１によって係止されないように構成される一方、ガイド部材１０が平坦部７ｅかあるいは退出経路Ｒｏ内にあるときには、ロック部材１１がメモリカード２０の切欠部２０ａ内に挿入されて、メモリカード２０がロック部材１１によって係止されるように構成されている。
【００４４】
ここで、図６〜図１０を参照して、各部の一連の動作について説明する。
【００４５】
図６の（ａ）および図８は、メモリカード２０を開口１ｂから凹部１ａ内に挿入して、カード保持体５に載置した初期状態を示している。このとき、ガイド部材１０は、進入経路Ｒｉの進行方向手前側の平坦部７ａに位置している。また、ロック部材１１は、切欠部２０ａ内から離脱しており、ロック部材１１によってメモリカード２０が係止されていない状態となっている。
【００４６】
メモリカード２０を凹部１ａの奥側に向けて突き当たりまで押し込むと、図６の（ｂ）に示す状態となる。このとき、ガイド部材１０は、進入経路Ｒｉの進行方向先方側の平坦部７ｄに位置している。また、ロック部材１１は、切欠部２０ａ内から離脱しており、ロック部材１１によってメモリカード２０が係止されていない状態となっている。
【００４７】
なお、ガイド部材１０が進入経路Ｒｉにあるときには、ロック部材１１によってメモリカード２０が係止されないため、メモリカード２０はカード保持体５から自在に取り外すことができる。
【００４８】
上述したように、ガイド部材１０は、進入経路Ｒｉの進行方向先方側（奥側）の平坦部７ｄからは、コイルスプリング８Ｌ，８Ｒによる付勢力によって、平坦部７ｅに移動する（図６の（ｃ））。ここで、ガイド部材１０は、Ｖ字状の底部となる案内経路７０のガイド部材係止部７ｊに押し付けられ、ここに係止される。また、このとき、ガイド部材１０の位置に変化に応じてピン９が回動して、ロック部材１１が切欠部２０ａ内に進入し、ロック部材１１によってメモリカード２０が係止される。すなわち、この状態が、メモリカード保持構造１におけるメモリカード２０の装着状態である。
【００４９】
この装着状態で、メモリカード２０を凹部１ａの奥側に押し込むと、ガイド部材１０は、退出経路Ｒｏ側の平坦部７ｆに移動する（図６の（ｄ））。
【００５０】
メモリカード２０が凹部１ａの奥側に突き当たったときに、当該メモリカード２０を奥側に押し込む力を弱めると、コイルスプリング８Ｌ，８Ｒの付勢力によってカード保持体５は開口１ｂ側へ移動し、これに伴って、ガイド部材１０は退出経路Ｒｏ内を移動して、進行方向先方側（開口１ｂ側）の平坦部７ｈに到達する（図７の（ｅ）および図９）。このとき、カード保持体５も、最も開口１ｂに近い側に位置することとなる。本実施形態では、この位置が、メモリカード取出位置に相当する。なお、このメモリカード取出位置では、第二のガイド部材係止部７ｋによってガイド部材１０を係止するようにしてもよい。
【００５１】
ここで、注目すべきは、図７の（ｅ）および図９の状態でもロック部材１１が切欠部２０ａ内に挿入された状態が維持されていることである。これは、ガイド部材１０が退出経路Ｒｏ内にある状態では、ロック部材１１が切欠部２０ａ内にあるように、ピン９（支点９ｂ、ガイド部材１０、ロック部材１１）および案内経路７０を構成およびレイアウトしたことによって、具現化されている。これにより、コイルスプリング８Ｌ，８Ｒの付勢力によってメモリカード２０が勢いよく飛び出すのが抑制される。
【００５２】
そして、本実施形態では、図７（ｅ）および図９の状態からメモリカード２０を引き抜くことができるようになっている。すなわち、図７の（ｆ）、図７の（ｇ）および図１０に示すように、メモリカード２０に引き抜く方向の力を作用させると、切欠部２０ａの奥側の壁面からロック部材１１に力が作用してピン９が回動し、ロック部材１１が切欠部２０ａから離脱する。ここで、案内経路７０には、ピン９の回動に伴ってガイド部材１０が移動できる経路、すなわち復帰経路Ｒｔ１を形成しているため、当該ガイド部材１０が案内経路形成部７によって係止され、ピン９の回動、すなわちロック部材１１によるロック解除が妨げられることがない。なお、傾斜部７ｉの高さ等により、引き抜くのに要する力の大きさを適宜に調整することができる。
【００５３】
さらに、本実施形態では、図７（ｅ）および図９の状態からメモリカード２０を再挿入することができるようになっている。すなわち、図７の（ｈ）に示すように、この状態でメモリカード２０に凹部１ａの奥側に押し込む方向の力を作用させると、ガイド部材１０は、傾斜部７ｉの奥側、すなわち再挿入経路Ｒｔ２に沿って、進入経路Ｒｉの進行方向先方側の領域に移動する。したがって、メモリカード２０を再度押し込む場合にも、ガイド部材１０をスムーズに移動させ、図７（ｃ）の装着状態に移行させることができる。
【００５４】
以上の本実施形態によれば、メモリカード２０の取り出し時に、カード保持体５が奥側から開口１ｂ側のメモリカード取出位置まで移動する間、メモリカード２０がカード保持体５に係止された状態が維持されるため、メモリカード２０が勢いよく飛び出すのを抑制することができる。
【００５５】
また、本実施形態によれば、メモリカード取出位置でのメモリカード２０の引抜操作によって、ガイド部材１０を復帰経路Ｒｔ１を経由してメモリカード挿入前の所定位置（初期位置）に戻すことができる。よって、次回メモリカード２０を凹部１ａ内に挿入して装着する操作を、スムーズに行うことができる。
【００５６】
また、本実施形態によれば、メモリカード２０を取り出そうとして再び戻す場合にも、再挿入経路Ｒｔ２に沿ってガイド部材１０を移動させ、所定の装着状態を得ることができる。
【００５７】
以上、本発明の好適な実施形態について説明したが、本発明は上記実施形態には限定されず、種々の変形が可能である。
【００５８】
案内経路形成部を設ける位置は、種々に変更することができる。例えば、上記実施形態では、案内経路形成部をケース側に設けたが、これをカード保持体側に設けてもよいし、ケース側の別の位置に設けてもよい。
【００５９】
また、案内経路の形状（経路や配置等）も、種々に変形可能である。
【００６０】
また、ピンにおける支点、ガイド部材、およびロック部材の配置は、適宜に変更可能であるし、ガイド部材とロック部材とを別部品として構成してもよい。
【００６１】
また、他の構成部品の形状等も、上記実施形態には限定されず、種々の構成を取りうる。
【図面の簡単な説明】
【００６２】
【図１】本発明の実施形態にかかるメモリカード保持構造の斜視図。
【図２】本発明の実施形態にかかるメモリカード保持構造の内部構成を示す斜視図であってカード保持体が開口側に位置する状態を示す図。
【図３】本発明の実施形態にかかるメモリカード保持構造の内部構成を示す斜視図であってカード保持体が奥側に位置する状態を示す図。
【図４】本発明の実施形態にかかるメモリカード保持構造に含まれる案内経路形成部の斜視図。
【図５】本発明の実施形態にかかるメモリカード保持構造に含まれる案内経路形成部の各部の断面図であって、（ａ）は図４のＡ−Ａ断面図、（ｂ）は図４のＢ−Ｂ断面図、（ｃ）は図４のＣ−Ｃ断面図、（ｄ）は図４のＤ−Ｄ断面図、（ｅ）は図４のＥ−Ｅ断面図。
【図６】メモリカードの各位置に応じた本発明の実施形態にかかるメモリカード保持構造の内部部品の位置関係を示す平面図。
【図７】メモリカードの各位置に応じた本発明の実施形態にかかるメモリカード保持構造の内部部品の位置関係を示す平面図（図６の続き）。
【図８】本発明の実施形態にかかるメモリカード保持構造の内部部品の位置関係を示す斜視図であって、メモリカードを挿入した初期状態を示す図（図６の（ａ）に対応する図）。
【図９】本発明の実施形態にかかるメモリカード保持構造の内部部品の位置関係を示す斜視図であって、メモリカードがメモリカード取出位置にある状態を示す図（図７の（ｅ）に対応する図）。
【図１０】本発明の実施形態にかかるメモリカード保持構造の内部部品の位置関係を示す斜視図であって、メモリカード取出位置からメモリカードを取り出す様子を示す図（図７の（ｇ）に対応する図）。
【符号の説明】
【００６３】
１  メモリカード保持構造
１ａ  凹部
１ｂ  開口
２  ケース
５  カード保持体
７  案内経路形成部
７ｊ  ガイド部材係止部
７ｋ  ガイド部材係止部
８Ｌ，８Ｒ  コイルスプリング（付勢機構）
１０  ガイド部材
１１  ロック部材
２０  メモリカード
７０  案内経路
Ｒｉ  進入経路
Ｒｏ  退出経路
Ｒｔ１  復帰経路
Ｒｔ２  再挿入経路
【図１】
0004539482.tif 000002
【図２】
0004539482.tif 000003
【図３】
0004539482.tif 000004
【図４】
0004539482.tif 000005
【図５】
0004539482.tif 000006
【図６】
0004539482.tif 000007
【図７】
0004539482.tif 000008
【図８】
0004539482.tif 000009
【図９】
0004539482.tif 000010
【図１０】
0004539482.tif 000011